(57)【要約】【課題】合成樹脂製の波板を用いた場合であっても十分な耐候性と強度を有しつつ、屋根材下部の換気を行うこと。【解決手段】垂木１１と、垂木１１に下面が支持された野地板１２と、野地板１２の上に配置された波板１３と、波板１３の上に配置された桟木１４と、桟木１４の上に配置された瓦１５と、波板１３の波上部１３ａを貫通して野地板１２、垂木１１の順で打たれた固定釘２０と、瓦１５から桟木１４に打たれた締結釘２２とを備えている。【選択図】      図２
2009091787.tif 000002
【特許請求の範囲】
【請求項１】
垂木と、
この垂木に下面が支持された野地板と、
この野地板の上に配置された波板と、
この波板の上に配置された桟木と、
この桟木の上に配置された屋根材と、
上記波板の波上部を貫通して上記野地板、上記垂木の順で打たれた固定釘と、
上記屋根材から上記桟木に打たれた締結釘とを備えていることを特徴とする屋根構造。
【請求項２】
垂木と、
この垂木に下面が支持された野地板と、
この野地板の上に配置された波板と、
この波板の上に配置された金属屋根材と、
この金属屋根材から上記波板の波上部を貫通して上記野地板、上記垂木の順で打たれた固定釘とを備えていることを特徴とする屋根構造。
【請求項３】
上記波板と上記野地板との間には、通気層が形成されていることを特徴とする請求項１又は２に記載の屋根構造。
【請求項４】
上記波板と上記屋根材との間には、通気層が形成されていることを特徴とする請求項１に記載の屋根構造。
【請求項５】
上記波板と上記金属屋根材との間には、通気層が形成されていることを特徴とする請求項２に記載の屋根構造。
【発明の詳細な説明】
【技術分野】
【０００１】
本発明は、合成樹脂製の波板を屋根下葺防水材として用いた屋根構造に関し、特に耐久性と軒先から棟へ空気が流れる通気性（８ｍｍ以上）を有するものに関する。
【背景技術】
【０００２】
家屋の屋根構造に用いる屋根下葺防水材として、アスファルトルーフィングとゴムアスファルトルーフィングや、透湿防水シート（野地から垂直方向に湿気をシート上に通過させる透湿性を持った防水シート）がよく知られている（例えば、特許文献１，２参照）。このような屋根下葺防水材は低コストであり多用されている。
【特許文献１】特開２００７−１２６９５３号公報
【特許文献２】特開２００７−２２３０４６号公報
【発明の開示】
【発明が解決しようとする課題】
【０００３】
上述した屋根下葺防水材を用いた屋根構造では、次のような問題があった。すなわち、現在の住宅は長寿命化が推進されているため、その寿命が６０〜１００年とも言われているのに対し、アスファルトルーフィングやゴムアスファルトルーフィングは熱劣化が起きやすく、３０年もしないうちに劣化して収縮し破れてしまう。また、防水性は優れているものの、野地の湿気を排出する透湿性はない。そのため、野地で結露が起きやすく、野地の劣化も進行するという問題があった。
【０００４】
一方、透湿透湿防水シートは、シートの熱劣化と野地の劣化を防ぐための改良が加えられ、耐久性に関しては十分であるが、防水性に問題がある。すなわち、釘穴シール性の改善がいろいろ検討されているが、防水シートを止め付けるためのタッカー（針）に対する止水性はなかなか改善されていない。
【０００５】
そこで本発明は、十分な耐久性及び防水性を備えた屋根構造を提供することを目的としている。
【課題を解決するための手段】
【０００６】
前記課題を解決し目的を達成するために、本発明の屋根構造は次のように構成されている。
【０００７】
垂木と、この垂木に下面が支持された野地板と、この野地板の上に配置された波板と、この波板の上に配置された桟木と、この桟木の上に配置された屋根材と、上記波板の波上部を貫通して上記野地板、上記垂木の順で打たれた固定釘と、上記屋根材から上記桟木に打たれた締結釘とを備えていることを特徴とする。
【０００８】
垂木と、この垂木に下面が支持された野地板と、この野地板の上に配置された波板と、この波板の上に配置された金属屋根材と、この金属屋根材から上記波板の波上部を貫通して上記野地板、上記垂木の順で打たれた固定釘とを備えていることを特徴とする。
【発明の効果】
【０００９】
本発明によれば、十分な耐久性及び防水性を備えることが可能となる。
【発明を実施するための最良の形態】
【００１０】
図１は本発明の第１の実施の形態に係る屋根構造１０を示す断面図、図２〜図４は同屋根構造１０の施工手順を示す断面図である。
【００１１】
屋根構造１０は、垂木１１と、この垂木１１に下面が支持された野地板１２と、この野地板１２の上に配置された波板１３と、この波板１３の上に配置された桟木１４と、この桟木１４の上に配置された瓦（屋根材）１５とを備えている。これら垂木１１、野地板１２、波板１３、桟木１４、瓦１５は、固定釘２０，２１及び締結釘２２により固定されている。固定釘２０は、波板１３、野地板１２、垂木１１の順で打たれ、固定釘２１は、桟木１４、波板１３、野地板１２、垂木１１の順で打たれ、締結釘２２は瓦１５から桟木１４に向かって打たれている。
【００１２】
野地板１２の最上部には、換気スリット１２ａが形成され、この換気スリット１２ａに跨るようにして棟金具３０が設けられ、この棟金具３０により水平方向に配置された垂木３１が支持されている。垂木３１はその上側から冠瓦３２により覆われている。また、図１中３３は空気流通部材を示している。
【００１３】
波板１３は、合成樹脂製（ポリ塩化ビニル樹脂やポリカーボネート樹脂）であり、波上部１３ａと波下部１３ｂとが交互に、かつ、一定の間隔で形成されている。また、波上部１３ａと波下部１３ｂとが並ぶ波方向は、垂木１１の延びる方向と直交して配置されている。なお、固定釘２０，２１は、図２〜図４に示すように波上部１３ａを貫通して打ち込まれている。
【００１４】
このような屋根構造１０は、次のようにして施工される。最初に、図２に示すように、垂木１１上に野地板１２を配置し、その上に波板１３を敷く。そして、固定釘２０にて波板１３の波上部１３ａから野地板１２を貫通させ、垂木１１に向かって打ち込む。次に、図３に示すように、桟木１４を配置し、固定釘２１にて桟木１４の上から波板１３の波上部１３ａ及び野地板１２を貫通させ、垂木１１に向かって打ち込む。次に、図４に示すように、瓦１５を配置し、締結釘２２により、瓦１５と桟木１４とを固定する。
【００１５】
このように構成された屋根構造１０では、波板１３の上に瓦１５が配置されるため、合成樹脂製の波板１３には直射日光は当たらず、経年劣化が少なくなる。また、波板１３には固定釘２０，２１を貫通するための孔が形成されるが、その孔は波板１３の波上部１３ａに形成されることになるため、瓦１５と波板１３との間に浸入した水滴は、波上部１３ａに流入することがない。すなわち、水滴は波板１３の波下部１３ｂに溜まり、軒先側に流れ落ちることになり、防水のためのルーフィングが別途不要となる。すなわち、波板１３は屋根下葺材としての機能を有することとなり、十分な耐候性と低コスト性を有することになる。
【００１６】
一方、波板１３はその構造上通気路が形成されているため、野地板１２と瓦１５の間の換気を十分に行うことができる。特に、波上部１３ａと波下部１３ｂとが並ぶ波方向を垂木１１の延びる方向と直交して配置することで、通気路が軒先から棟側に向かって形成されることとなり、図１中Ｆに示すように換気を円滑に行うことができる。このため、野地板１２の湿気を野地板１２と波板１３との空間から棟から排湿できる、野地板１２での結露を防止でき、野地板１２の耐久性を向上させることができる。同様にして瓦１５下の熱気や雨水等の湿気を棟から排出できる。このため、断熱性も向上させることができる。
【００１７】
上述したように、本実施の形態に係る屋根構造１０によれば、合成樹脂製の波板１３を屋根下葺材として用いることで十分な耐久性を有しつつ、防水性を維持し、また野地板１２と瓦１５との間（屋根材の下部）の換気を行うことが可能となる。
【００１８】
図５は本発明の第２の実施の形態に係る屋根構造１０Ａの要部を示す斜視図、図６は同屋根構造１０Ａの断面図である。図５及び図６において図１〜図４と同一機能部分には同一符号を付し、その詳細な説明は省略する。屋根構造１０Ａにおいては、屋根材として金属瓦（金属屋根材）４０を用いている。
【００１９】
金属瓦４０を用いた場合においては、桟木１４を用いず、金属瓦４０に係合部４１を形成し、その係合部４１に上段の金属瓦４０の下端４２を引っ掛けて係止することで金属瓦４０同士を固定している。このため、締結釘は不要となる。なお、固定釘２１は、金属瓦４０から波板１３の波上部１３ａを貫通して野地板１２、垂木１１の順で打たれている。この場合であっても、屋根構造１０と同様の効果を得ることができる。
【００２０】
なお、本発明は前記実施の形態に限定されるものではなく、波板の波方向を垂木１１の延びる方向と並行に配置してもよい。この他、本発明の要旨を逸脱しない範囲で種々変形実施可能であるのは勿論である。
【図面の簡単な説明】
【００２１】
【図１】本発明の第１の実施の形態に係る屋根構造を示す断面図。
【図２】同屋根構造の施工工程を示す断面図。
【図３】同屋根構造の施工工程を示す断面図。
【図４】同屋根構造の施工工程を示す断面図。
【図５】本発明の第２の実施の形態に係る屋根構造を示す斜視図。
【図６】同屋根構造を示す断面図。
【符号の説明】
【００２２】
１０，１０Ａ…屋根構造、１１…垂木、１２…野地板、１３…波板、１４…桟木、１５…瓦（屋根材）、２０，２１…固定釘、２２…締結釘、４０…金属瓦（金属屋根材）。
【図１】
2009091787.tif 000003
【図２】
2009091787.tif 000004
【図３】
2009091787.tif 000005
【図４】
2009091787.tif 000006
【図５】
2009091787.tif 000007
【図６】
2009091787.tif 000008